(57)【要約】【課題】  本発明は、通常照度の照明を不快に感じる乗客が乗りかごに乗車する場合であっても、乗客に応じた照明器具の照度制御を簡易に実現するエレベータ装置を提供することを目的とする。【解決手段】  昇降路内を運行する乗りかごと、該乗りかごに設けられた照明器具と、前記乗りかごが停止する各階に設けられ、ＩＣタグまたは赤外線信号発信機からの信号を受信する受信機と、前記受信機からの信号に基づいて前記照明器具の照度を制御する制御盤と、を具備することを特徴とするエレベータ装置。【選択図】  図３
2017214175.tif 000002
【特許請求の範囲】
【請求項１】
昇降路内を運行する乗りかごと、
該乗りかごに設けられた照明器具と、
前記乗りかごが停止する各階に設けられ、ＩＣタグまたは赤外線信号発信機からの信号を受信する受信機と、
前記受信機からの信号に基づいて前記照明器具の照度を制御する制御盤と、
を具備することを特徴とするエレベータ装置。
【請求項２】
請求項１に記載のエレベータ装置において、
前記受信機がＩＣタグからの信号を受信したときに行う前記照明器具の照度制御と、
前記受信機がＩＣタグからの信号を受信しないときに行う前記照明器具の照度制御と、
が異なることを特徴とするエレベータ装置。
【請求項３】
請求項２に記載のエレベータ装置において、
前記受信機がＩＣタグからの信号を受信したときに行う前記照明器具の照度制御は、
前記照明器具の照度を、通常照度より低い照度から通常照度まで徐々に照度を上げていく制御であることを特徴とするエレベータ装置。
【請求項４】
請求項２に記載のエレベータ装置において、
前記受信機がＩＣタグからの信号を受信したときに行う前記照明器具の照度制御は、
前記照明器具の照度を、通常照度より低い照度に保つ制御であることを特徴とするエレベータ装置。
【請求項５】
請求項２に記載のエレベータ装置において、
前記制御盤は、入出力装置と、ＣＰＵと、メモリと、を有しており、
前記ＣＰＵは、前記受信機からの信号に応じて何れの照度制御を行うか判断するとともに、前記照度制御は前記メモリに記録されたプログラムに従って前記照明器具を制御するものであることを特徴とするエレベータ装置。
【発明の詳細な説明】
【技術分野】
【０００１】
本発明は、照明を備えたエレベータ装置に関する。
【背景技術】
【０００２】
病院で使用される従来の寝台用エレベータの構造では、乗りかご室内をできるだけ明るくして、病人や見舞者の気分を明るくすることが必要であるが、寝台で運ばれる重症患者には相当にまぶしく、好ましいものとは言えない。一方で、乗りかご室内の照度を下げておくと、通常乗車者にとって不快に思われ、好ましいものとは言えない。
【０００３】
この課題に対し、乗りかご室内の明るさを乗客の所望の明るさに変えられるようにしたエレベータかご室の照明器具が特許文献１に記載されている。特許文献１には「かご室天井の照明灯の下方に遮光体を可動的に設け、その第１の状態では空隙を形成させ、第２の状態に変化する間に上記空隙を減少させるようにしたので、かご室内の明るさを乗客の好みの明るさに変えることが自由にできる。」と記載されている。
【先行技術文献】
【特許文献】
【０００４】
【特許文献１】実開昭57-037970号公報
【発明の概要】
【発明が解決しようとする課題】
【０００５】
前記特許文献１には、エレベータかご室の照明器具が記載されている。しかし、特許文献１に記載された照明器具の構造は、乗りかご室内に遮光体を可動させるための引き綱を設け、手動させる必要がある。このため、乗りかご室内の照度を変化させるためには、人為的な行動が必要となり、照度変化が手間となる。
【０００６】
本発明は、通常照度の照明を不快に感じる乗客が乗りかごに乗車する場合であっても、乗客に応じた照明器具の照度制御を簡易に実現するエレベータ装置を提供することを目的とする。
【課題を解決するための手段】
【０００７】
上記課題を解決するため、本発明のエレベータ装置は、昇降路内を運行する乗りかごと、該乗りかごに設けられた照明器具と、前記乗りかごが停止する各階に設けられ、ＩＣタグまたは赤外線信号発信機からの信号を受信する受信機と、前記受信機からの信号に基づいて前記照明器具の照度を制御する制御盤と、を具備するエレベータ装置とした。
【発明の効果】
【０００８】
本発明によれば、電気的に照度を落とし、寝台に乗っている人が不快を感じないように徐々に照度を通常に戻すエレベータ装置を提供することができる。また、通常乗車者と寝台車に乗る人の不快に感じる照度が異なるため、前記装置により乗車状況に合わせた照度を提供できる。
【図面の簡単な説明】
【０００９】
【図１Ａ】一実施例のエレベータ装置の概略図
【図１Ｂ】一実施例のエレベータ装置の機能ブロック図
【図２】一実施例のエレベータ装置の動作フローチャート
【図３】寝台車乗車時の照度変更パターン
【図４】通常運転時の照度変更パターン
【発明を実施するための形態】
【００１０】
以下、本発明のエレベータ装置の実施例を図１〜４を用いて説明する。
【００１１】
図１Ａは本実施例のエレベータ装置の概略図である。１は乗りかごであり、乗客を所望の乗り場２に運ぶために昇降路内（図示省略）を昇降動作する箱状の移動体である。３は乗りかご１の床、４は乗りかご１の天井、５は乗かご１の乗客の乗降時に通過するかごドア、６は乗りかご１搬入される寝台車、７は乗り場２に設けられ、呼び登録を行うかご呼びボタンを示す。
【００１２】
また、床３の下部には積載検出装置８と、天井４には照明器具９と、寝台車６にはＩＣタグ１０と、乗り場２側出入口上部には上記ＩＣタグ１０からの信号に反応する受信機１１が設けられている。また、寝台車６の進行方向前方にはＩＣタグ１０が設けられる。なお、本実施例では、寝台車６の存在をエレベータ装置に伝達するためにＩＣタグ１０を用いたが、これに代え、赤外線信号発信機などの他の通信手段を寝台車６に設ける構成としても良い。
【００１３】
なお、照明器具９には明るさを調節できる、蛍光灯照明、ＬＥＤ照明、有機ＥＬ照明など周知の照明器具を用いることができる。また、本実施例では、乗りかご１が停止する各階に受信機１１を設けた例を示すが、乗りかご１に受信機１１を設ける構成としても良い。
【００１４】
図１Ｂは本実施例のエレベータ装置の機能ブロック図である。ここに示すように、寝台車６のＩＣタグ１０からの信号は寝台車６がいる乗り場２の受信機１１で受信される。ここで受信された信号、および、かご呼びボタン７から入力された信号は、通信線１３を介して制御盤１２に入力される。制御盤１２は、入出力装置１２ａ、内部通信線１２ｂ、ＣＰＵ１２ｃ、メモリ１２ｄから構成されており、入力された信号は入出力装置１２ａ、内部通信線１２ｂを介して、メモリ１２ｄに記録される。ＣＰＵ１２ｃはメモリ１２ｄに記録されたデータを読み取り、後述する種々の制御を行う。また、乗りかご１にも入出力装置１ａ、内部通信線１ｂが設けられており、これらを介して、制御盤１２との間での通信を行う。このような構成をとることで、制御盤１２はＩＣタグ１０からの信号に基づいて、かごドア５の開閉、および、照明器具９の照度を適切に制御することができる。
【００１５】
なお、受信機１１を各階に設置することで乗りかご１が到着する前に照明器具９の明るさを事前に調節しておくことができる。
【００１６】
図２は本実施例のエレベータ装置の動作フローチャートである。
【００１７】
かご呼びボタン７で呼び登録されておらず乗りかご１が待機状態の場合、乗りかご１の照明器具９は照度が低下した状態となっている（Ｓ００１）。
【００１８】
ある乗り場２のかご呼びボタン７が操作され呼び登録された場合（Ｓ００２）、制御盤１２内のＣＰＵ１２ｃは、その乗り場２の受信機１１にＩＣタグ１０からの受信反応があるか、すなわち、寝台車６がいるかを当該乗り場２の受信機１１から受信した信号の有無に基づいて識別する（Ｓ００３）。
【００１９】
Ｓ００３にて受信反応があった場合（寝台車６がいた場合）、ＣＰＵ１２は、メモリ１２から読みだしたプログラムに従って寝台用制御（Ｓ００４〜Ｓ００８）を実行し、受信反応がなかった場合（寝台車６がいなかった場合）、メモリ１２から読みだしたプログラムに従って通常運転（Ｓ００９〜Ｓ０１１）を実行する。
【００２０】
まず、寝台車６がいた場合の制御を説明する。この制御では、後述する照度変更制御（Ｓ００４）、乗車時のかごドア５開放時間延長制御（Ｓ００５）、乗りかご１に寝台車６が乗ったことの確認（Ｓ００６）、目的階への到着（Ｓ００７）、下車時のかごドア５開放時間延長制御（Ｓ００８）を順次行う。
【００２１】
図３にＳ００４での照度変更パターンを時系列にしたグラフを示す。前述した制御盤１２は乗りかご１が呼び出し階へ移動する間に照明器具９の照度を、ＣＰＵ１２の制御によって、乗りこみ時に不快とならない照度（例えば、通常照度の３０〜５０％）に調節しておく。その後、寝台車６が乗車すると、寝台車６に乗る者が不快に感じないように照度を通常照度まで徐々に上げる。他に乗客がいなければ、下車後数秒で照明器具９を消灯し、乗りかご１は待機状態となる。なお、図３では、寝台車６の乗車後に照明器具９の照度を徐々に上げる制御を示したが、乗りかご１の移動距離が短いときは、乗車時の照度を維持する制御としても良い。短い移動の時にも図３のように通常の照度まで上げてしまうと、短時間で照度が大きく変更されるため、寝台車６に乗る者が不快感を感じるおそれがあるからである。
【００２２】
次に、寝台車６がいなかった場合の通常制御を説明する。この制御では、照明器具９の照度を通常状態に高上させ（Ｓ００９）、乗りかご１に乗車したことの確認（Ｓ０１０）を行い、目的階まで乗客を運搬する（Ｓ０１１）。
【００２３】
図４に通常制御となった場合の照度変更パターンを時系列にしたグラフを示す。寝台車６を乗せない場合は、乗客に不快感を与えないように照度を通常状態にし、下車後数秒で照度を低下させる。
【００２４】
以上で説明した本実施例のエレベータ装置によれば、寝台車が乗車する場合と乗車しない場合で、照明器具の照度制御を異ならせ、寝台車に乗る人にとっても、そうでない人にとっても不快感がないエレベータ装置を提供することができる。
【符号の説明】
【００２５】
１…乗りかご、２…乗り場、３…床、４…天井、５…かごドア、６…寝台車、７…かご呼びボタン、８…積載検出装置、９…照明器具、１０…ＩＣタグ、１１…受信機、１２…制御盤
【図１Ａ】
2017214175.tif 000003
【図１Ｂ】
2017214175.tif 000004
【図２】
2017214175.tif 000005
【図３】
2017214175.tif 000006
【図４】
2017214175.tif 000007